(57)【要約】      （修正有）【課題】船橋及び居住区を船尾に有する貨物船において、積載量を確保しつつ、喫水の浅いバラスト状態においても、十分な前方の海面見通しを確保できる船舶を提供する。【解決手段】船体形状を、型幅を４８．４ｍ以上で４９ｍ以下とし、型深さＤｍを２３ｍ以上で２５．９ｍ以下とし、夏季最大満載喫水を１５．２ｍ以上とし、船体の全長Ｌｏａを船体の型幅の５倍以上で６，５倍未満にすると共に、船橋３を居住区４の上部に設けた上部構造物の高さを１５．６ｍ以上で１８．５ｍ以下とする。【選択図】図１
2017056758.tif 000002
【特許請求の範囲】
【請求項１】
船橋及び居住区を船尾に有する貨物船において、船体形状を、型幅を４８．４ｍ以上で４９ｍ以下とし、型深さを２３ｍ以上で２５．９ｍ以下とし、夏季最大満載喫水を１５．２ｍ以上とし、船体の全長を前記型幅の５倍以上で６．５倍未満にすると共に、前記船橋を前記居住区の上部に設けた上部構造物の高さを上甲板より上に１５．６ｍ以上で１８．５ｍ以下として構成したことを特徴とする船舶。
【請求項２】
前記船体の全長を２４２ｍ以上で３１８ｍ以下とすることを特徴とする請求項１に記載の船舶。
【請求項３】
遠方から視認するための灯具が配置されている灯具設置用ポストを、右舷側と左舷側の二つにして前記船橋又は前記居住区の上に配置するとともに、レーダーマストを起倒式マストで構成したことを特徴とする請求項１または２に記載の船舶。
【請求項４】
煙突高さを前記起倒式マストで構成される前記レーダーマストを倒したときの前記レーダーマストの最高高さよりも低く構成したことを特徴とする請求項３に記載の船舶。
【請求項５】
煙突高さをレーダーマストの頂上よりも低く構成したことを特徴とする請求項１〜３のいずれか１項に記載の船舶。
【発明の詳細な説明】
【技術分野】
【０００１】
本発明は、船舶に関し、より詳細には、船橋及び居住区を船尾に有する貨物船において、積載量を確保しつつ、喫水の浅いバラスト状態においても、十分な前方の海面見通しを確保することができる船舶に関する。
【背景技術】
【０００２】
従来の貨物船においては、船橋と居住区を伴う上部構造物を船尾の機関室上に配置することが一般的である。しかしながら、船橋と居住区を船尾に設けた船舶においては、甲板上に、球形タンクの上部やセルガイドによって固定されたコンテナが無くて、前方の海面見通しの確保に障害となるような物が無い場合であっても、特に喫水の浅いバラスト状態では、船舶前方の海面見通しを確保することが困難となる。
【０００３】
特に、運河を通航する際は、曳航作業の安全性を確保する等の観点等から、広い前方の海面見通しを確保する必要がある。また、新パナマ運河では、航行時の見通し要件が他の航行域において一般船舶に要求される要件に比べて、特に厳しくなる。
【０００４】
この前方の海面見通しを改善する方法として、下記のような幾つかの方法が考えられるが、それぞれ問題がある。例えば、この改善方法の一つとして、船橋の高さを上げる方法があるが、船橋の位置を高くするためには船橋と居住区を含む上部構造物の高さを高くする必要あるので、建造コスト増を招くという問題と、さらには、エアドラフトが大きくなることで、橋のかかった港湾や河川における航行が制限されるという問題がある。
【０００５】
また、船橋、居住区及び機関室を船首部に配置する方法もある。例えば、コンテナ船ではあるが、船体の中央部より船首側に発電機を備えた発電機室を設けるとともに、この発電機室の上部に操舵室を含む居住室を設ける一方で、船体の船尾側に推進用プロペラを回転する駆動モータを設け、船首側の発電機と船尾側の駆動モータを電気的に接続したコンテナ船が提案されている（例えば、特許文献１参照）。しかしながら、この場合には波浪中動揺の影響を受けて船首側居住室における居住性が悪くなるという問題がある。また、船橋、居住区及び機関室を船体中央に配置する場合には、貨物の積載量を十分に確保できない等の弊害が生じるという問題がある。
【０００６】
また、喫水を深める方法では、前方見通しは改善することはできるが、運河等の水深に制限がある航路を通行する際に支障を来すという問題がある。さらに、船橋高さを保ちつつ型深さを小さくする方法では、前方見通しは改善するが、貨物倉やタンク容積の確保に支障を来し、船舶の経済性が損なわれるという問題がある。
【０００７】
なお、帆走商船ではあるが、この前方の見通しを確保しつつ、風の流れを有効に利用するために、マストを右舷近傍および左舷近傍に、軸心を中心に旋回自在に立設した帆走商船が提案されている（例えば、特許文献２参照）。しかし、この発明は帆走商船における前方見通しの改善を図ることができるが、一般的な貨物船における前方見通しの改善には寄与しない。
【先行技術文献】
【特許文献】
【０００８】
【特許文献１】特開２００２−２２００９１号公報
【特許文献２】特開２０１１−０９８６６６号公報
【発明の概要】
【発明が解決しようとする課題】
【０００９】
本発明は、船橋及び居住区を船尾に有する貨物船において、積載量を確保しつつ、喫水の浅いバラスト状態においても、十分な前方の海面見通しを確保できる船舶を提供することにある。
【課題を解決するための手段】
【００１０】
上記の目的を達成するため本発明の船舶は、船橋及び居住区を船尾に有する貨物船において、船体形状を、型幅を４８．４ｍ以上で４９ｍ以下とし、型深さを２３ｍ以上で２５．９ｍ以下とし、夏季最大満載喫水を１５．２ｍ以上とし、船体の全長を前記型幅の５倍以上で６．５倍未満にすると共に、前記船橋を前記居住区の上部に設けた上部構造物の高さを上甲板より上に１５．６ｍ以上で１８．５ｍ以下として構成される。
【００１１】
この構成によれば、船体の基本要目の型幅、型深さ、夏季最大満載喫水、及び、全長の関係を上記としたことにより、十分な積載量、貨物倉またはタンク容積と推進性能をバランスよく確保しつつ、新パナマ運河を通過できる船体形状にすることができる。
【００１２】
また、船橋を居住区の上部に設けた上部構造物の高さを１５．６ｍ以上で１８．５ｍ以下とすることにより、喫水の浅いバラスト状態においても、船舶前方の海面見通しを十分に確保することができると共に、エアドラフトを抑えることができるので、バラスト状態における運河・河川、港湾等の通航性を確保することができる。
【００１３】
この上部構造物の高さを１５．６ｍ以上とするのは、居住区の居住性を考慮すると，居住区の一層の高さとしては、２．６ｍが必要であるので、各居住区の高さを２．６ｍ以上とし、また、船橋と居住区における居室配置のためのスペース確保のためには６層分の面積が必要であることから、上部構造物の高さは（２．６ｍ×６層＝１５．６ｍ）で１５．６ｍの高さが必要となるためである。なお、船橋および居住区は、乗員の居住快適性を確保するためエンジンケーシングおよび煙突と分離して配置することが望ましい。
【００１４】
そして、上記の船体主要目と船橋高さの組み合わせにより、十分な積載量、貨物倉またはタンク容積と推進性能をバランスよく確保しつつ、前方の海面見通しを十分に確保することができるので、新パナマ運河などの運河を十分に航行可能な船舶となる。
【００１５】
型幅を４８．４ｍ以上で４９ｍ以下とするのは、４８．４ｍより小さいと、復原力を十分に確保することや載貨重量を確保することが難しく、４９ｍより大きいと、運河通行に支障をきたすからである。また、型深さを２３ｍ以上で２５．９ｍ以下とするのは、２３ｍより小さいと貨物倉やタンク容量を確保するのが難しく、２５．９ｍより大きいと、船橋が高くなりエアドラフトの確保が難しくなるからである。また、夏季最大満載喫水を１５．２ｍ以上とするのは、１５．２ｍより小さくすると新パナマ運河の可航最大喫水より浅くなり、同運河を航行することによる輸送効率を十分に活かすことができないからである。なお、夏季最大満載喫水の上限を定めていないが、この夏季最大満載喫水は最大でも型深さより乾舷の分だけ小さくなるので、型深さが決まるとその上限は決まることになる。
【００１６】
そして、船体の全長を船体の型幅の５倍以上で６．５倍未満にするのは、推進性能と前前方の海面見通し確保の観点からであり、船体の全長を船体の型幅の５倍より小さいと載貨重量を確保するのが難しいと共に、幅広船型になり過ぎて推進性能および操縦性能の確保が難しくなり、６．５倍より大きいと前方の海面見通し確保が難しいからである。また、船橋を居住区の上部に設けた上部構造物の高さを上甲板より上に１５．６ｍ以上で１８．５ｍ以下とするのは、前方の海面見通しの確保とエアドラフトの抑制からであり、１５．６ｍより小さいと前方の海面見通しの確保が難しくなり、１８．５ｍより大きいと、エアドラフトが大きくなりすぎることにより、橋の下を通過するのが困難になるからである。
【００１７】
なお、上記の船舶において、前記船橋における監視位置を、船橋甲板より１．８ｍ高く、前面壁から０．７５ｍ後方としたときに、この監視位置と船首端の最高部を結ぶ見通し線が、当該船舶のバラスト喫水状態で水面と交差する位置が、船体最前部から船の全長の１．５倍以下となるように前記船橋甲板の高さを設定して構成されると、確実に運河航行時のバラスト状態における前方の海面見通しを確保できるようになる。
【００１８】
上記の船舶において、前記船の全長を２４２ｍ以上で３１８ｍ以下として構成すると、新パナマ運河が航行可能となるので、大西洋―太平洋間の油や貨物の輸送において、大幅な輸送効率の改善が可能となる。
【００１９】
上記の船舶において、遠方から視認するための灯具が配置されている灯具設置用ポストを、右舷側と左舷側の二つにして前記船橋又は前記居住区の上に配置するとともに、レーダーマストを起倒式マストで構成すると、居住区以外の灯具設置用ポストやレーダーマストが要因で、エアドラフトが高くならないようにすることができる。
【００２０】
また、上記の船舶において、煙突高さをレーダーマストの頂上よりも低く構成したり、煙突高さを前記起倒式マストで構成される前記レーダーマストを倒したときの前記レーダーマストの最高高さよりも低く構成したりすると、居住区以外の煙突が要因で、エアドラフトが大きくならないようにすることができる。
【発明の効果】
【００２１】
本発明の船舶によれば、船体の基本要目の型幅、型深さ、夏季最大満載喫水、及び、全長の関係を、型幅を４８．４ｍ以上で４９ｍ以下とし、型深さを２３ｍ以上で２５．９ｍ以下とし、夏季最大満載喫水を１５．２ｍ以上とし、船体の全長を船体の型幅の５倍以上で６．５倍未満にしたことにより、十分な積載量、貨物倉またはタンク容積と推進性能をバランスよく確保しつつ、新パナマ運河を通過できる船体形状にすることができる。
【００２２】
また、船橋を居住区の上部に設けた上部構造物の高さを１５．６ｍ以上で１８．５ｍ以下とすることにより、特に見通しの確保が困難な喫水の浅いバラスト状態においても、船舶前方の海面見通しを十分に確保することができると共に、エアドラフトを抑えることができるので、バラスト状態における運河・河川、港湾等の通航性を確保することができる。
【００２３】
そして、上記の船体主要目と船橋高さの組み合わせにより、十分な積載量と推進性能をバランスよく確保しつつ、前方の海面見通しを十分に確保することができるので、新パナマ運河などの運河を十分に航行可能な船舶となる。
【図面の簡単な説明】
【００２４】
【図１】本発明に係る実施の形態の船舶の側断面図である。
【図２】本発明に係る実施の形態の船舶の正面図である。
【発明を実施するための形態】
【００２５】
以下、本発明に係る実施の形態の船舶を図を参照しながら説明する。この本発明に係る実施の形態の船舶１は、図１及び図２に示すように、船尾に機関室２を有し、機関室２の上部に船橋３及び居住区４を有している。また、この船橋３の両側にブリッジウィング５が設けられており、船橋３の後部には煙突（ファンネル）６が設けられている。
【００２６】
この船舶１は、上甲板７の上に、球形タンクの上部やセルガイドによって固定されたコンテナがなくて、前方の海面見通しの確保に障害となるような物が無い船舶である。
【００２７】
この船舶１は、船体形状を、型幅Ｂｍを４８．４ｍ以上で４９ｍ以下とし、型深さＤｍを２３ｍ以上で２５．９ｍ以下とし、夏季最大満載喫水ｄｍａｘを１５．２ｍ以上とし、船体の全長ＬOAを船体の型幅Ｂｍの５倍以上で６．５倍未満にする。それと共に、船橋３を居住区４の上部に設けた上部構造物の高さＨ１を上甲板７より上に１５．６ｍ以上で１８．５ｍ以下として構成される。この上部構造物の高さＨ１とは、船体中央線(センターライン)ＣＬ上の居住区４の最下部（上甲板７）から船橋３の最上端までの高さである。
【００２８】
この船舶１において、船橋３における監視位置(視点位置)９を、船橋甲板３ａより１．８ｍ高く、前面壁から０．７５ｍ後方としたときに、この監視位置９と船首端の最高部１０を結ぶ前方見通し線Ｔｃが、この船舶１のバラスト喫水状態で水面Ｓｂと交差する位置１１が、船体最前部１０から船の全長ＬOAの１．５倍以下となるように船橋甲板３ａの高さＨａを設定して構成する。これにより、確実に運河航行時のバラスト状態における前方の海面見通しを確保する。
【００２９】
更に、この船舶１において、船の全長ＬOAは３６６ｍ以下であり、これらにより新パナマ運河が航行可能となるので、大西洋―太平洋間の油や貨物の輸送において、大幅な輸送効率の改善が可能となる。
【００３０】
型幅Ｂｍを４８．４ｍ以上で４９ｍ以下とするのは、４８．４ｍより小さいと載貨重量を確保するのが難しく、４９ｍより大きいと、新パナマ運河を航行できる最大寸法要件を満たさなくなり、運河通行に支障をきたすからである。
【００３１】
また、型深さＤｍを２３ｍ以上で２５．９ｍ以下とするのは、２３ｍより小さいと載貨重量を確保するのが難しいためである。そして、２５．９ｍより大きいと、船橋が高くなりエアドラフトの確保が難しくなるからである。
【００３２】
また、夏季最大満載喫水を１５．２ｍ以上とするのは、１５．２ｍより小さくすると新パナマ運河の可航最大喫水より浅くなり、同運河を航行することによる輸送効率を十分に活かすことができないからである。
【００３３】
そして、船体の全長ＬOAを船体の型幅Ｂｍの５倍以上で６．５倍未満にする。この船体の全長ＬOAを船体の型幅Ｂｍの５倍以上にする理由は、幅広船型になり過ぎないようにして推進性能および操縦性能を確保できるようにするためであり、また、構造規則上で特殊な強度検討を要求されるためである。また、６．５倍未満にする理由は、船長が大きくなり過ぎると建造コストが過大になるためであり、また、前方の海面見通し確保が難しくならないようにするためである。よって、これらの推進性能と前方の海面見通し確保の観点から、船体の全長ＬOAは、船体の型幅Ｂｍの５倍以上で６．５倍未満、すなわち、「５≦ＬOA／Ｂｍ＜６．５」となる。
【００３４】
また、船橋３を居住区４の上部に設けた上部構造物の高さＨ１を上甲板７より上に１５．６ｍ以上で１８．５ｍ以下とするのは、前方の海面見通しの確保とエアドラフトの抑制からである。
【００３５】
この上部構造物の高さＨ１を１５．６ｍ以上とするのは、居住区４の居住性を考慮すると，居住区４の一層の高さとしては、２．６ｍが必要であるので、各居住区４の高さを２．６ｍ以上とし、また、船橋３と居住区４における居室配置のためのスペース確保のためには６層分の面積が必要であることから、上部構造物の高さＨ１は（２．６ｍ×６層＝１５．６ｍ）で１５．６ｍの高さが必要となる。なお、船橋３および居住区４は、乗員の居住快適性を確保するためエンジンケーシング２ａおよび煙突６と分離して配置することが望ましい。
【００３６】
そして、上部構造物の高さＨ１が１８．５ｍより大きいと、エアドラフトが大きくなりすぎて、橋の下を通過するのが困難になり、エアドラフトがベースラインより約５０ｍまたは水面より約４１ｍの制限高さＨｐ１またはＨｐ２がある港（一般的なアメリカの港）に航行できなくなるので、１８．５ｍ以下にして、これを避ける。なお、これらの上部構造物の高さＨ１の設定は、船橋３の上端から煙突６やレーダーマスト１２等の高さＨｆを８ｍと仮定して余裕をとった場合を想定して設定している。
【００３７】
また、遠方から視認するための灯具が配置されている灯具設置用ポスト１３を、右舷側と左舷側の二つにして船橋３又は居住区４の上に配置するとともに、レーダーマスト１２を起倒式マストで構成すると、居住区４以外の灯具設置用ポスト１３やレーダーマスト１２が要因で、エアドラフトが高くならないようにすることができる。
【００３８】
また、煙突６の高さをレーダーマスト１２の頂上よりも低く構成したり、煙突６の高さを起倒式マストで構成されるレーダーマスト１２を倒したときのレーダーマスト１２の最高高さよりも低く構成したりすると、居住区４以外の煙突が要因で、エアドラフトが高くならないようにすることができる。
【００３９】
上記の構成の船舶１によれば、船体の基本要目の型幅Ｂｍ、型深さＤｍ、夏季最大満載喫水ｄｍａｘ、及び、全長ＬOAの関係を上記としたことにより、十分な積載量と推進性能をバランスよく確保しつつ、新パナマ運河を通過できる船体形状にすることができる。
【００４０】
また、船橋３を居住区４の上部に設けた上部構造物の高さＨ１を１５．６ｍ以上で１８．５ｍ以下とすることにより、喫水の浅いバラスト状態においても、船舶１の前方の海面見通しを十分に確保することができると共に、エアドラフトを抑えることができるので、バラスト状態における運河・河川、港湾等の通航性を確保することができる。
【００４１】
そして、本発明の実施の形態の船舶１は下記の条件を満たすことができる。つまり、全長ＬOAが５５ｍ以上の船舶には、不可視距離（前方の海面見通し：貨物積載状態）Ｖ１および不可視距離（前方の海面見通し：バラスト状態）Ｖ２が船の全長ＬOAの２倍または５００ｍ以下であることが要求されるが、この船舶１はこの要件を満たしている。この不可視距離Ｖ１は、この船舶１の夏季最大満載喫水状態で前方見通し線Ｔｃが水面Ｓａと交差する位置１１ａと船首端１０との間の前後距離となり、また、不可視距離Ｖ２は、この船舶１のバラスト喫水状態で前方見通し線Ｔｃが水面Ｓｂと交差する位置１１と船首端１０との間の前後距離となる。
【００４２】
また、新パナマ運河を通航するために必要な新パナマ運河規則の要件として、最大寸法要件（ｎｅｏ  Ｐａｎａｍａｘ  サイズ)は船舶１の船の全長ＬOA＝３６６ｍ、幅Ｂ＝４９ｍ、可航最大喫水ｄｐ＝１５．２ｍと規定されている。更に、貨物積載状態において、不可視距離（前方の海面見通し）は船の全長ＬOAの１倍以下であること、また、バラスト状態において、不可視距離（前方の海面見通し）は船の全長ＬOAの１．５倍以下であることが要求される。船舶１はこの要件を満たし、貨物積載状態およびバラスト状態にて同運河を航行可能であり、また、可航最大喫水ｄｐにて同運河を航行可能である。
【００４３】
従って、上記の船体主要目と上部構造物の高さＨ１の組み合わせにより、十分な積載量、貨物倉またはタンク容積と推進性能をバランスよく確保しつつ、前方の海面見通しを十分に確保することができるので、新パナマ運河などの運河を十分に航行可能な船舶となる。
【産業上の利用可能性】
【００４４】
本発明の船舶は、船橋及び居住区を船尾に有する貨物船において、積載量を確保しつつ、喫水の浅いバラスト状態においても、十分な前方の海面見通しを確保できるので、数多くの船舶に利用することができる。
【符号の説明】
【００４５】
１  船舶
２  機関室
２ａ  エンジンケーシング
３  船橋
３ａ  船橋甲板
４  居住区
５  ブリッジウィング
６  煙突（ファンネル）
７  上甲板
８  船尾端
９  監視位置
１０  船首端
１１  前方見通し線がバラスト喫水状態の水面と交差する位置
１１ａ  前方見通し線が夏季最大満載喫水状態の水面と交差する位置
１２  レーダーマスト
１３  灯具設置用ポスト
ＬOA  船の全長
Ｓａ  夏季最大満載喫水状態の水面
Ｓｂ  バラスト喫水状態の水面
Ｔｃ  前方見通し線
Ｖ１  不可視距離（前方の海面見通し：貨物積載状態）
Ｖ２  不可視距離（前方の海面見通し：バラスト状態）
【図１】
2017056758.tif 000003
【図２】
2017056758.tif 000004